(57)【要約】【課題】  効率的なトリミングができ、トリミングによる電気的な不良発生が生じ無い非可逆回路素子におけるコンデンサの容量調整方法を提供する。【解決手段】  本発明の非可逆回路素子におけるコンデンサの容量調整方法は、第１，第２，第３の中心導体７，８，９に接続され、誘電体１１、及びこの誘電体１１に設けられた少なくとも一対の電極１２ａ、１２ｂを有したコンデンサＣ１，Ｃ２，Ｃ３とを備えた非可逆回路素子において、コンデンサＣ１，Ｃ２，Ｃ３の誘電体１１のみがレーザＸによってトリミングされて、容量値を調整するようにしたため、レーザＸは誘電体１１による反射が少なく、効率的なトリミングができると共に、削られた誘電体１１が飛散しても、電気的な不良発生の生じ無いものが得られる。【選択図】        図３
2006197246.tif 000002
【特許請求の範囲】
【請求項１】
磁気閉回路を構成するヨークと、前記ヨーク内に配置された磁石、及びフェライト部材と、前記磁石と前記フェライト部材との間に配置され、互いに絶縁された状態で上下方向に一部が交叉するように配設された第１，第２，第３の中心導体と、この中心導体に接続され、誘電体、及びこの誘電体に設けられた少なくとも一対の電極を有したコンデンサとを備えた非可逆回路素子において、前記コンデンサの前記誘電体のみがレーザによってトリミングされて、前記コンデンサの容量値を調整するようにしたことを特徴とする非可逆回路素子におけるコンデンサの容量調整方法。
【請求項２】
前記コンデンサは、平板状の前記誘電体と、この誘電体の両面に対向して配置された前記電極とからなるチップ型コンデンサで形成され、一対の前記電極間に位置する前記誘電体の端面側が前記レーザによってトリミングされるようにしたことを特徴とする請求項１記載の非可逆回路素子におけるコンデンサの容量調整方法。
【請求項３】
前記コンデンサは、一方の前記電極が前記中心導体のポート部に接続され、他方の前記電極が前記ヨークの底板に接続されて接地されると共に、前記誘電体の前記端面側が前記ヨークの側方から露出され、前記ヨークの側方から前記誘電体の端面側が前記レーザによってトリミングされるようにしたことを特徴とする請求項２記載の非可逆回路素子におけるコンデンサの容量調整方法。
【発明の詳細な説明】
【技術分野】
【０００１】
本発明は携帯電話機等の移動体通信機の送信部等に適用されるアイソレータやサーキュレータからなる非可逆回路素子におけるコンデンサの容量調整方法に関する。
【背景技術】
【０００２】
図４は従来の非可逆回路素子、及びそのコンデンサの容量調整方法を示す分解斜視図であり、次に、従来の非可逆回路素子の構成を図４に基づいて説明すると、箱形の磁性板（鉄板等）からなる第１のヨーク５１内には、磁石５２が収納されると共に、第１のヨーク５１の上板５１ａには、磁石５２から外れた位置に孔５１ｂが設けられている。
【０００３】
磁性板（鉄板等）からなる第２のヨーク５３は、Ｕ字状をなし、第１のヨーク５１と結合されて、磁気閉回路が形成される。
誘電体基板５４は、中央部に貫通孔５４ａを有すると共に、複数個のコンデンサＣが形成されており、このコンデンサＣは、誘電体基板５４の上面に設けられた第１の電極５５と、この第１の電極５５に対向した状態で、誘電体基板５４の積層内に形成された第２の電極（図示せず）によって構成されいる。
【０００４】
このような構成を有する誘電体基板５４は、第１，第２のヨーク５１，５３間に配置され、第１の電極５５が孔５１ｂから露出した状態となっている。
平板状のフェライト部材５６には、金属板からなる３個の中心導体５７が組み合わされ、この中心導体５７は、フェライト部材５６と共に貫通孔５４ａ内に配置され、中心導体５７のそれぞれのポート部５７ａがコンデンサＣの第１の電極５５に接続されて、従来の非可逆回路素子が形成されている。（例えば、特許文献１参照）
【０００５】
そして、このような構成を有する従来の非可逆回路素子におけるコンデンサの容量調整方法は、レーザビームが第１のヨーク５１の孔５１ｂを通して第１の電極５５に当てられ、このレーザビームよって第１の電極５５がトリミングされて、コンデンサＣの容量値の調整が行われるようになっている。（例えば、特許文献１参照）
【０００６】
しかし、従来の非可逆回路素子におけるコンデンサの容量調整方法は、レーザビームよって第１の電極５５がトリミングされるため、レーザビームが第１の電極５５によって反射され、効率よくトリミングができないばかりか、削られた第１の電極５５からの金属粉が飛散して内部に付着し、不良発生の要因となっていた。
【０００７】
【特許文献１】特開平９−２８９４０２号公報
【発明の開示】
【発明が解決しようとする課題】
【０００８】
従来の非可逆回路素子におけるコンデンサの容量調整方法は、レーザビームよって第１の電極５５がトリミングされるため、レーザビームが第１の電極５５によって反射され、効率よくトリミングができないばかりか、削られた第１の電極５５からの金属粉が飛散して内部に付着し、不良発生の要因になるという問題がある。
【０００９】
そこで、本発明は効率的なトリミングができ、トリミングによる電気的な不良発生が生じ無い非可逆回路素子におけるコンデンサの容量調整方法を提供することを目的とする。
【課題を解決するための手段】
【００１０】
上記課題を解決するための第１の解決手段として、磁気閉回路を構成するヨークと、前記ヨーク内に配置された磁石、及びフェライト部材と、前記磁石と前記フェライト部材との間に配置され、互いに絶縁された状態で上下方向に一部が交叉するように配設された第１，第２，第３の中心導体と、この中心導体に接続され、誘電体、及びこの誘電体に設けられた少なくとも一対の電極を有したコンデンサとを備えた非可逆回路素子において、前記コンデンサの前記誘電体のみがレーザによってトリミングされて、前記コンデンサの容量値を調整するようにした容量調整方法とした。
【００１１】
また、第２の解決手段として、前記コンデンサは、平板状の前記誘電体と、この誘電体の両面に対向して配置された前記電極とからなるチップ型コンデンサで形成され、一対の前記電極間に位置する前記誘電体の端面側が前記レーザによってトリミングされるようにした容量調整方法とした。
【００１２】
また、第３の解決手段として、前記コンデンサは、一方の前記電極が前記中心導体のポート部に接続され、他方の前記電極が前記ヨークの底板に接続されて接地されると共に、前記誘電体の前記端面側が前記ヨークの側方から露出され、前記ヨークの側方から前記誘電体の端面側が前記レーザによってトリミングされるようにした容量調整方法とした。
【発明の効果】
【００１３】
本発明の非可逆回路素子におけるコンデンサの容量調整方法は、磁気閉回路を構成するヨークと、ヨーク内に配置された磁石、及びフェライト部材と、磁石とフェライト部材との間に配置され、互いに絶縁された状態で上下方向に一部が交叉するように配設された第１，第２，第３の中心導体と、この中心導体に接続され、誘電体、及びこの誘電体に設けられた少なくとも一対の電極を有したコンデンサとを備えた非可逆回路素子において、コンデンサの誘電体のみがレーザによってトリミングされて、コンデンサの容量値を調整するようにした容量調整方法とした。
即ち、コンデンサの誘電体のみがレーザによってトリミングされるため、レーザは誘電体による反射が少なく、効率的なトリミングができると共に、削られた誘電体が飛散しても、電気的な不良発生の生じ無いものが得られる。
【００１４】
また、コンデンサは、平板状の誘電体と、この誘電体の両面に対向して配置された電極とからなるチップ型コンデンサで形成され、一対の電極間に位置する誘電体の端面側がレーザによってトリミングされるようにしたため、チップ型コンデンサの使用によって安価なものが得られる。
【００１５】
また、コンデンサは、一方の電極が中心導体のポート部に接続され、他方の電極がヨークの底板に接続されて接地されると共に、誘電体の端面側がヨークの側方から露出され、ヨークの側方から誘電体の端面側がレーザによってトリミングされるようにしたため、トリミング作業がヨークの側方から簡単にできる。
【発明を実施するための最良の形態】
【００１６】
本発明の非可逆回路素子に係る図面を説明すると、図１は本発明の非可逆回路素子の一実施例に係る要部断面図、図２は図１の２−２線における断面図、図３は本発明の非可逆回路素子におけるコンデンサの容量調整方法を示す説明図である。
【００１７】
次に、本発明の非可逆回路素子の構成を図１〜図３に基づいて説明すると、磁性板（鉄板等）からなる第１のヨーク１は、箱形、或いはＵ字状をなし、四角形状の上板１ａと、この上板１ａの辺から下方に折り曲げられた側板１ｂを有し、この第１のヨーク１の内面には、磁石２が取り付けられている。
【００１８】
磁性板（鉄板等）からなる第２のヨーク３は、箱形、或いはＵ字状をなし、四角形状の底板３ａと、この底板３ａから上方に折り曲げられた側板３ｂを有し、第１，第２のヨーク１，３は、側板１ｂ、３ｂ同士が結合されて、その結果、第１，第２のヨーク１，３とで磁気閉回路が形成されている。
【００１９】
金属材からなるアース板４は、平板部４ａと、この平板部から上方に折り曲げられた複数の折曲片４ｂを有し、このアース板４は、平板部４ａが底板３ａ上に載置されている。
ＹＩＧ（Ｙｔｔｒｉｕｍ  ｉｒｏｎ  ｇａｒｎｅｔ）等からなる板状のフェライト部材５は、第１，第２のヨーク１，３内に位置した状態で、アース板４の平板部４ａ上に載置されている。
【００２０】
積層構成を有する平板状の誘電体基板６は、上下方向に貫通した複数の孔６ａを有すると共に、誘電体基板６の下面には第１の中心導体７が、また、誘電体基板６の積層内には第２の中心導体８が、更に、誘電体基板６の上面には第３の中心導体９が設けられ、これ等の第１，第２，第３の中心導体７，８，９は、誘電体基板６によって互いに絶縁され、上下方向に一部が交叉した状態で配置されている。
【００２１】
そして、第１，第２，第３の中心導体７，８，９は、一端側に位置するポート部７ａ、８ａ、９ａと、他端側に位置するアース部７ｂ、８ｂ、９ｂと、ポート部７ａ、８ａ、９ａのそれぞれに接続され、誘電体基板６の下面に引き出された引出部１０を有する。
【００２２】
この第１の中心導体７の引出部１０は、ポート部７ａと共に誘電体基板６の下面に設けられ、また、第２の中心導体８の引出部１０は、誘電体基板６の側面から下面に跨って設けられ、更に、第３の中心導体９の引出部１０は、孔６ａに設けられたスルーホール（図示せず）によって誘電体基板６の下面に引き出されている。
【００２３】
このような構成を有する誘電体基板６は、フェライト部材４上に載置された状態で、ここでは図示しないが、アース部７ｂ、８ｂ、９ｂ側がアース板４に接続されて、接地されている。
【００２４】
チップ型コンデンサからなる第１，第２，第３のコンデンサＣ１，Ｃ２，Ｃ３は、平板状の誘電体１１と、この誘電体１１の上下の平面に設けられた第１，第２の電極１２ａ、１２ｂとで形成され、この第１，第２，第３のコンデンサＣ１，Ｃ２，Ｃ３は、アース板４の折曲片４ｂと誘電体基板６の下面との間に配置され、第１の電極１２ａが第１，第２，第３の中心導体７，８，９に対応して設けられた引出部１３に接続されると共に、第２の電極１２ｂが折曲片４ｂに接続されて接地されている。
【００２５】
これ等の第１，第２，第３のコンデンサＣ１，Ｃ２，Ｃ３の側面である誘電体１１の端面側は、第１，第２のヨーク１，３の側方（側面側）から露出した状態となっている。
抵抗器Ｒは、両端部に設けられた第１，第２の端子１３ａ、１３ｂを有し、この抵抗器Ｒは、第１の端子１３ａが第３の中心導体９側の引出部１０に接続され、第２の端子１３ｂがアース板４等に接地されて、本発明のアイソレータからなる非可逆回路素子が形成されている。
【００２６】
なお、この実施例では、アイソレータからなる非可逆回路素子で説明したが、抵抗器Ｒを無くして、サーキュレータからなる非可逆回路素子であっても良い。
【００２７】
次に、このような構成を有する本発明の非可逆回路素子におけるコンデンサの容量調整方法を図３に基づいて説明すると、第１，第２のヨーク１，３の開放された側方からレーザビームＸが誘電体１１の端面（側面）に当てられ、このレーザビームＸよって誘電体１１のみがトリミングされて、第１，第２，第３のコンデンサＣ１，Ｃ２，Ｃ３の容量値の調整が行われて、周波数の調整が行われる。
【００２８】
即ち、レーザビームＸよって誘電体１１のみがトリミングされることによって、第１，第２の電極１２ａ、１２ｂ間に空気を介在させるようにして、第１，第２の電極１２ａ、１２ｂ間の容量値を変えるようにしたものである。
【図面の簡単な説明】
【００２９】
【図１】本発明の非可逆回路素子の一実施例に係る要部断面図。
【図２】図１の２−２線における断面図。
【図３】本発明の非可逆回路素子におけるコンデンサの容量調整方法を示す説明図。
【図４】従来の非可逆回路素子、及びそのコンデンサの容量調整方法を示す分解斜視図。
【符号の説明】
【００３０】
１：第１のヨーク
１ａ：上板
１ｂ：側板
２：磁石
３：第２のヨーク
３ａ：底板
３ｂ：側板
４：アース板
４ａ：平板部
４ｂ：折曲片
５：フェライト部材
６：誘電体基板
６ａ：孔
７：第１の中心導体
７ａ：ポート部
７ｂ：アース部
８：第２の中心導体
８ａ：ポート部
８ｂ：アース部
９：第３の中心導体
９ａ：ポート部
９ｂ：アース部
１０：引出部
Ｃ１：第１のコンデンサ
Ｃ２：第２のコンデンサ
Ｃ３：第３のコンデンサ
１１：誘電体
１２ａ：第１の電極
１２ｂ第２の電極
Ｒ：抵抗器
１３ａ：第１の端子
１３ｂ：第２の端子
Ｘ：レーザビーム
【図１】
2006197246.tif 000003
【図２】
2006197246.tif 000004
【図３】
2006197246.tif 000005
【図４】
2006197246.tif 000006